(57)【特許請求の範囲】
【請求項１】
少なくともカメラレンズを有するカメラ部と記録媒体収納部を内蔵するディスクデッキ部とを有し、該ディスクデッキ部側とは異なる側面に配置されて開閉可能に取り付けられるモニタ部を備えたビデオカメラにおいて、
該ディスクデッキ部側の側面にハンドストラップが配置され、
該ディスクデッキ部は、上面が該カメラ部の上面よりも突出するように構成されていることを特徴とするビデオカメラ。
【請求項２】
少なくともカメラレンズを有するカメラ部と該カメラ部の一方側の側面に配置されて記録媒体収納部を内蔵するディスクデッキ部とを有する装置本体と、該カメラ部の他方側の側面に配置され、該装置本体に開閉可能に取り付けられるモニタ部とを備えたビデオカメラにおいて、
該ディスクデッキ部の上部を構成する該装置本体の筐体面を、該カメラ部の上部を構成する該装置本体の筐体面よりも上方に張り出して形成し、
該装置本体の該ディスクデッキ部側の側面にハンドストラップが配置されていることを特徴とするビデオカメラ。
【請求項３】
少なくともカメラレンズと撮像素子と回路基板とを有するカメラ部と該カメラ部の一方側の側面に配置され、記録媒体収納部を内蔵するディスクデッキ部とを有する装置本体と、該装置本体の該ディスクデッキ部側とは異なる側面に配置されて該装置本体に開閉可能に取り付けられるモニタ部とを備えたビデオカメラにおいて、
該装置本体は、該カメラ部の上面と底面と側面を構成するカメラ部ケースと、該カメラ部の前面を構成するフロントケースと、該カメラ部の背面を構成するリアケースと、該ディスクデッキ部の上面と底面と前面と背面を構成するディスクデッキ部ケースと、該ディスクデッキ部の側面を構成するディスクデッキ部カバーとで構成され、
該ディスクデッキ部ケースは、その上面が該カメラ部のケースの上面よりも突出するように構成され、
該装置本体の該ディスクデッキ部側の側面にハンドストラップが配置されていることを特徴とするビデオカメラ。
【請求項４】
請求項１または２において、
前記カメラ部は、前記カメラ部の少なくとも上部上面を構成するカメラ部ケースを有し、
前記ディスクデッキ部は、前記ディスクデッキ部の少なくとも上面を構成するディスクデッキ部ケースと、前記ディスクデッキ部の側面を構成するディスクデッキ部カバーとを有し、
前記ディスクデッキ部ケースは、その上面が前記カメラ部ケースの上面よりも突出するように構成されていることを特徴とするビデオカメラ。
【請求項５】
請求項３または４において、
前記ディスクデッキ部カバーは、前記装置本体のディスクデッキ部側の側面に開閉可能に取り付けられていることを特徴とするビデオカメラ。
【請求項６】
請求項２または３において、
前記装置本体は、前記カメラ部側の側面にモニタ収納部を備えるとともに、前記モニタ収納部に配置される第１操作部と、前記モニタ収納部に前記モニタ部が収納された状態で前記モニタ部と隣接する位置に配置される第２操作部とを備え、
前記第１操作部は、前記モニタ部の表示内容を制御する操作ボタンを備え、
前記第２操作部は、前記ディスクデッキ部を操作する操作ボタンを備えたことを特徴とするビデオカメラ。
【発明の詳細な説明】
【０００１】
【発明の属する技術分野】
本発明は、光ディスクのデッキと一体化されたビデオカメラに係り、特に、レンズ側にマイクロホンやフラッシュ部などを備え、また、筐体側面部にモニタ部が設けられたビデオカメラに関する。
【０００２】
【従来の技術】
筐体内にカメラ部とテープドライブなどを内蔵し、この筐体の側面に液晶表示部（ＬＣＤ部）が設けられたビデオカメラが、例えば、特開平９ー９１０８号公報に記載されている。かかるビデオカメラにおいては、この筐体の側面に形成された凸部に開口が設けられ、この開口内に設けられたヒンジ機構にＬＣＤ部が取り付けられており、これにより、ＬＣＤ部が筐体に回動可能に取り付けられている。
【０００３】
ここで、このヒンジ機構は、筐体の側面に沿って上下方向に、即ち、垂直方向に伸延して配置される回動軸と、この回動軸に垂直な方向、即ち、水平方向に伸延して配置される回転軸とからなり、この回転軸がＬＣＤ部の表示面に平行となるようにして、ＬＣＤ部がこのヒンジ機構に取り付けられている。
【０００４】
かかる構成のヒンジ機構により、ＬＣＤ部は、垂直な回動軸を中心として、回動することができ、また、水平な回転軸を中心として回転することができる。従って、ビデオカメラで撮像するときには（撮像モード）、ＬＣＤ部を回動軸を中心に回動させることにより、このＬＣＤ部の表示面を筐体の側面に対してある角度を持たせることができ、撮像画面をこの表示画面で表示させることにより、ユーザは、ファインダを用いずとも、撮像画面を観察することができる。しかも、このようにＬＣＤ部を回動軸を中心に回動させた状態で、さらに、ＬＣＤ部を上記回転軸を中心に回動させることにより、その表示画面を斜め上向き、あるいは斜め下向きにすることができ、ユーザが見易い状態にＬＣＤ部の表示画面を設定することができる。
【０００５】
【発明が解決しようとする課題】
ところで、上記特開平９ー９１０８号公報に記載のビデオカメラでは、筐体の側面にＬＣＤ部の収納部が設けられており、上記回動軸を中心とするＬＣＤ部の回動範囲は、ＬＣＤ部がこの収納部に収納されている状態を０゜とすると、０゜〜９０゜の範囲である。上記特開平９ー９１０８号公報に記載のビデオカメラに限らず、従来のビデオカメラでは、ＬＣＤ部の回動範囲がこのように決められている。
【０００６】
このような回動範囲のＬＣＤ部を９０゜までいっぱいに回動させた状態で撮像を行なう撮像モードでは、ビデオカメラの後方、即ち、ファインダ側からこのＬＣＤ部の表示画面をみることができ、ファインダを覗いているのと同様の姿勢で撮像することができる。また、ＬＣＤ部を回転軸を中心に１８０゜回転させて筐体側面の収納部に収納した状態では、筐体の側面にＬＣＤ部の表示画面が外部に向かって配置されることになるから、この場合も、このＬＣＤ部の表示画面を身ながら撮像することができる。
【０００７】
しかしながら、かかるビデオカメラの多機能化のために操作ボタンを多く筐体に設ける場合、かかる操作ボタンの配置について考慮する必要があり、場合によっては、操作ボタンを筐体側面のＬＣＤ部の収納部内に設けざるを得ない場合もあり、かかる操作ボタンを操作して所定の機能を調整する際、機能の調整結果を確認するためにＬＣＤ部の表示画面の表示内容を確認する必要がある場合には、ＬＣＤ部の回動範囲が、上記のように、０゜〜９０゜であるときには、ＬＣＤ部を最大開いた状態にしても、上記の操作ボタンの配置面とＬＣＤ部の表示画面とのなす角度が最大９０゜であって、この表示画面を見ながら操作ボタンを操作して機能調整を行なうという動作が非常にやりにくいものとなる。即ち、使い勝手の面で問題が生ずることになる。
【０００８】
また、ＤＶＤ（ディジタル・ビデオ・ディスク）などのコンパクトな光ディスクのドライブと一体化することにより、ビデオカメラの小型化を図ることも考えられるが、このような小型化を図る上で生ずる問題の１つは、操作ボタンなどの部材の配置をいかにするかということである。即ち、かかる部材を、ビデオカメラの性能の点も考慮しながら、狭い面積内に効率良く配置し、しかも使い勝手の面も考慮して配置することが必要となる。
【０００９】
本発明は、以上のような点に勘案してなされたものであって、その目的は、性能を高め、使い勝手が向上したビデオカメラを提供することにある。
【００１０】
【課題を解決するための手段】
上記目的を達成するために、本発明は、少なくともカメラレンズを有するカメラ部と記録媒体収納部を内蔵するディスクデッキ部とを有し、該ディスクデッキ部側とは異なる側面に配置されて開閉可能に取り付けられるモニタ部を備えたビデオカメラにおいて、該ディスクデッキ部側の側面にハンドストラップが配置され、該ディスクデッキ部は、上面が該カメラ部の上面よりも突出するように構成されているものである。
【００１１】
また、本発明は、少なくともカメラレンズを有するカメラ部と該カメラ部の一方側の側面に配置されて記録媒体収納部を内蔵するディスクデッキ部とを有する装置本体と、カメラ部の他方側の側面に配置され、装置本体に開閉可能に取り付けられるモニタ部とを備えたビデオカメラにおいて、ディスクデッキ部の上部を構成する装置本体の筐体面を、カメラ部の上部を構成する装置本体の筐体面よりも上方に張り出して形成し、装置本体のディスクデッキ部側の側面にハンドストラップが配置されているものである。
【００１２】
また、本発明は、少なくともカメラレンズと撮像素子と回路基板とを有するカメラ部と該カメラ部の一方側の側面に配置され、記録媒体収納部を内蔵するディスクデッキ部とを有する装置本体と、装置本体のディスクデッキ部側とは異なる側面に配置されて装置本体に開閉可能に取り付けられるモニタ部とを備えたビデオカメラにおいて、装置本体は、カメラ部の上面と底面と側面を構成するカメラ部ケースと、カメラ部の前面を構成するフロントケースと、カメラ部の背面を構成するリアケースと、ディスクデッキ部の上面と底面と前面と背面を構成するディスクデッキ部ケースと、ディスクデッキ部の側面を構成するディスクデッキ部カバーとで構成され、ディスクデッキ部ケースは、その上面がカメラ部のケースの上面よりも突出するように構成され、装置本体のディスクデッキ部側の側面にハンドストラップが配置されているものである。
【００１９】
【発明の実施の形態】
以下、本発明の実施形態を図面により説明する。
図１は本発明によるビデオカメラの一実施形態の前面側（カメラレンズ側）から見た斜視図であって、１はディスクデッキ部、１ａは上面、２はカメラ部、３は液晶モニタ部、４はカメラレンズ部、５はファインダ、６ａは右マイクロホン（以下、右マイクという）、６ｂは左マイクロホン（以下、左マイクという）、７はタリーランプ、８は蓋、９はフラッシュ部、１０はズーム操作部、１１はディスク操作部、１２は液晶モニタ部３の背面、１３は突出部、１４はヒンジ部、１５は表示部、１６はハンドストラップ、１７は録画モード選択ボタンである。
【００２０】
同図において、ディスクデッキ部１の筐体内には、ディスクドライブやディスク収納部などが内蔵されており、光ディスクを、カートリッジに収納したまま、そのディスク収納部に挿入したり、そこから取り出すことができるようにしている。ここでは、この光ディスクをＤＶＤ（ディジタル・ビデオ・ディスク）とし、このＤＶＤは、カートリッジに収納されたままディスクドライブで駆動されて録画再生ができるように構成されている。
【００２１】
このディスクデッキ部１の筐体の一方の側面側にカメラ部２の筐体が一体に配置され、カメラ部２の筐体でのディスクデッキ部１の筐体とは反対側の側面に液晶モニタ部３が設けられている。カメラ部２の一方の端面側にズームレンズなどからなるカメラレンズ部４が、この端面とは反対側の端面にファインダ５が設けられている。カメラ部２の筐体内には、カメラレンズ部４の光軸上に配置されて絞りやＣＣＤ撮像素子などが内蔵され、また、各種回路の回路基板なども内蔵されている。
【００２２】
以下では、カメラレンズ部４側をこの実施形態の光ディスク付きビデオカメラの前面側、ファインダ５側を同じく背面側といい、背面側から前面側を見てディスクデッキ部１やカメラ部２の右側の側面を右側面といい、同じく左側の側面を左側面という。
【００２３】
ここで、カメラ部２の筐体の上面はディスクデッキ部１の筐体の上面１ａよりも下方にあり、カメラ部２の筐体の前面側の端面，背面側の端面は夫々、ディスクデッキ部１の筐体の前面側の端面，背面側の端面よりも前面，背面側に突出しておらず、カメラ部２の筐体の底面はディスクデッキ部１の筐体の底面とほぼ同一平面上にある。従って、カメラ部２の筐体のディスクデッキ部１の側面への投影は、この側面から突出しておらず、カメラ部２の筐体の側面形状がディスクデッキ部１の側面よりも小型となっている。このことを、カメラ部の外形輪郭はディスクデッキの外形輪郭から突出しないという。
【００２４】
カメラ部２の筐体の前面側の端面には、カメラレンズ部４の下側に右マイク６ａと左マイク６ｂとが配置され、これらマイク６ａ，６ｂの下側に、ディスクデッキ部１が録画状態にあるときに点灯するタリーランプ７が、さらにその下側に、ケーブル接続用のジャック（入出力端子）の収納部の蓋８が配置されている。
【００２５】
図２は図１に示した実施形態を前面側から見た平面図であって、マイク６ａ，６ｂはカメラレンズ４の光軸０を含む垂直な平面Ａに関して対称な位置に配置されている。また、ディスクデッキ部１の前面側の端面には、照明撮像するためのフラッシュ部９が設けられているが、そこに取り付けられている図示しないフラッシュランプは、その中心軸がカメラレンズ部４の光軸０を含む水平な平面Ｂ上にあるように、位置付けられている。
【００２６】
図１において、ディスクデッキ部１の上面１ａの背面側に、カメラレンズ部４の図示しないズームレンズをノーマル，望遠，至近と切り換えるためのズーム操作部１０が設けられている。また、カメラ部２の左側面には、その前面側に垂直方向に伸延した突起部１３が形成され、その突起部１３の切欠部１３ａに設けられてヒンジ部１４に液晶モニタ部３が取り付けられている。このヒンジ部１４は、上記従来技術と同様に、垂直方向に伸延した回動軸とこれに垂直な水平方向に伸延した回転軸とを有しており、これにより、液晶モニタ部３は、この回動軸を中心にして、カメラ部２の左側面が開く方向に回動してその表示画面の向きを水平方向に変えることができ、また、この水平方向の回転軸を中心に、液晶モニタ部３の図示しない表示画面の向きを上下方向に変えることができる。
【００２７】
ここでは、液晶モニタ部３が、その背面１２を外側にして、カメラ部２の左側面の収納部に収納されている状態にあるが、この背面１２には、後述するように、ディスクデッキ部の動作モードやバッテリ，フラッシュ部９の状態などを表示する表示部１５が設けられている。
【００２８】
また、カメラ部２の左側面には、液晶モニタ部３の上方にディスクデッキ部１の録画モード（動画，静止画，音付きの静止画など録画モード）を選択できるようにした録画モード選択ボタン１７が設けられている。また、液晶モニタ部３よりも背面側にディスク操作部１１が設けられている。これを、カメラ部２の左側面を正面から見た図３を用いて説明する。なお、１８はカメラ／画面調整部である。
【００２９】
このディスク操作部１１には、ディスクデッキ部１（図１）を操作するための操作ボタンが垂直方向に配置されているものであって、図３において、上から順に、再生／一時停止ボタン１１ａ，停止ボタン１１ｂ，ＦＦ（早送り）ボタン１１ｃ，Ｒｅｗ（巻戻し）ボタン１１ｄ，スキップＦＦボタン１１ｅ，スキップＲｅｗボタン１１ｆが配列されている。
【００３０】
なお、このディスク操作部１１は、カメラ部２が停止して撮像が行なわれないときに機能するものである。
【００３１】
このディスク操作部１１は、上下方向に凸状の湾曲した面をなしているが、図３に右端部に図示するカメラ部２の背面側の端面に設けられたカメラ／画面調整部１８も、上下方向に凸状の湾曲した面をなしている。これをカメラ部２の背面側の端面を示す図４によって説明する。なお、１８ａはプログラムＡＥボタン、１８ｂはゲイン調整ボタン、１８ｃはオート／マニュアルフォーカス選択ボタン、１８ｄはカメラ用操作ボタン、１８ｅはメニューボタン、１８ｆはメニューの選択／決定ボタン、１９は電源スイッチ、２０はディスクイジェクトボタン、２０ａはアクセスＬＥＤ、２１は録画／録画停止ボタン、２２はバッテリ収納部であり、前出図面に対応する部分には同一符号を付けている。
【００３２】
同図において、カメラ部２の背面側の端面には、ファインダ５よりも下方の領域の左部分に上記のカメラ／画面調整部１８が設けられており、そこに上から使用頻度が高い順に、プログラムＡＥボタン１８ａ，ゲイン調整ボタン１８ｂ，オート／マニュアルフォーカス選択ボタン１８ｃ，カメラ用操作ボタン１８ｄ，録画するときの日付やフェードの可否，ディジタルズームの可否などを選択するためのメニュー画面を表示させるためのメニューボタン１８ｅ，メニューの選択／決定ボタン１８ｆが配列されている。従って、使用頻度の高い操作ボタンはカメラ／画面調整部１８のいくらか上向きの面に設けられており、これにより、使用頻度の高い操作ボタンを使い易くしている。このことは、ディスク操作部１１の場合も同様である。
【００３３】
また、ディスクデッキ部１の背面側の端面の上方部には、電源スイッチ１９とディスクイジェクトボタン２０とアクセスＬＥＤ２０ａと録画／録画停止ボタン２１が設けられている。このアクセスＬＥＤ２０ａは、録画終了の指示があっても（録画／録画停止ボタン２１を押すと、録画が開始し、この録画／録画停止ボタン２１を再度押すと、録画終了が指示される）、ディスクデッキ部１での録画モードが終了していないときにディスクイジェクトボタン２０が操作されたとき、点滅する。ＤＶＤなどの光ディスクでのディスクドライブでは、記録信号を一旦内蔵のメモリに記憶し、所定量の記録信号（例えば、１０秒間分）が記憶されると、これが読み出されて光ディスクに録画される。このため、録画モードの停止ボタンを操作しても、メモリに記憶されている記録信号が光ディスクに記録されるまでは録画モードが終了していない。また、録画モードが終了するまでは、光ディスクを取り出すことができない。しかし、ユーザは、録画停止の操作を行なって直ちにディスクイジェクトボタン２０を操作し、ＤＶＤを取り出すようにする場合もあるが、上記の録画モードが終了しない限り、ＤＶＤを取り出すことができない。このように録画終了のための操作をした後、実際に録画モードが終了しないうちのディスクイジェクトボタン２０が操作されると、アクセスＬＥＤ２０ａが点滅し、まだ、録画モードが終了しておらず、メモリからＤＶＤへの信号記録状態、即ち、ＤＶＤへのアクセス状態にあることをユーザに知らせるようにする。
【００３４】
ディスクデッキ部１の背面側の端面とカメラ部２の背面側の端面とにわたって、バッテリ収納部２２が取り付けられている。
【００３５】
このように、この実施形態では、電源スイッチ１９やディスクイジェクトボタン２０、さらに、カメラ操作に関するカメラ／画面調整部１８は、全て背面側に設けられている。これにより、カメラ部２を用いた撮像モードでは、ユーザは、撮像しながら、これらを容易に見ることができるから、これらの操作がし易くなり、使い勝手が向上する。
【００３６】
また、この実施形態では、電源スイッチ１９を操作すると、ディスクデッキ部１の電源も、カメラ部２の電源も、また、液晶モニタ部３の電源も同時にＯＮする。このため、この電源スイッチ１９を操作して電源をＯＮすれば、カメラ／画面調整部１８のカメラ用操作ボタン１８ｄを操作するだけでカメラ部２が動作し、撮像を開始させることができるし、撮像時に録画／録画停止ボタン２１を操作することにより、直ちに録画モード選択ボタン１７の操作で選択された録画モードで録画が行なわれるし、撮像モードにないときに再生／一時停止ボタン１１ａを操作することにより、直ちにＤＶＤの再生が行なわれる。従来のビデオテープ付きのビデオカメラでは、録画や再生するときと撮像するときとでは、それ毎に電源のＯＮ操作をしなければならなかったが、この実施形態では、その手間を省いている。なお、再生モード中に再生／一時停止ボタン１１ａを操作すると、再生一時停止モードとなり、再度再生／一時停止ボタン１１ａを操作すると、再生モードに戻る。
【００３７】
図５は図１に示した実施形態のディスクデッキ部１の右側面を正面から見た図であって、この側面には、従来のビデオカメラと同様にして、ハンドストリップ１６が取り付けられており、また、ディスクデッキ部１の上面１ａがカメラ部２の上面よりも突出しているから、図６に示すように、このハンドストリップ１６とディスクデッキ部１の右側面との間に右手を通し、右手の各指の先をディスクデッキ部１の上面１ａのカメラ部２側の角部に引っ掛けるようにすることにより、この実施形態のディスク付きビデオカメラを片手で安全に抱えることができるようにしている。この場合、ディスクデッキ部１の上面１ａは、カメラレンズ部４側が低くなるように曲面をなしており、これにより、ファインダ５側が突出している状態になっているので、右手の指のこの上面１ａでの引っ掛かり位置がこの低くなった部分に自然と決まることになり、この部分で安定して指を引っ掛けることができるので、この実施形態のディスク付きビデオカメラを安定して安全に抱えることができる。
【００３８】
また、ハンドストリップ１６がディスクデッキ部１の側面に設けられているので、この実施形態は、ディスクデッキ部１が直接手で持たれて抱えられるものであるから、このディスクデッキ部１はカメラ部２などよりも受ける振動が小さくてすむことになる。即ち、この実施形態がこれを持っている手から振動を受けても、この持っている手から離れたカメラ部２の方が、ディスクデッキ部１よりも、振動を大きく受けることになる。ディスクデッキ部１では、ＤＶＤなどの光ディスクを用いているため、その動作が大きな振動に影響され易い。この実施形態では、上記のように、ハンドストリップ１６がディスクデッキ部１の側面に設けているので、光ディスクに対する振動の影響を効果的に低減できることになる。
【００３９】
なお、図７に示すように、ディスクデッキ部１において、右側面と上面１ａとの境２３では、丸みが形成されており、これにより、さらに、指に負担がかからないようにしている。なお、図７では、前出図面に対応する部分には同一符号を付けている。
【００４０】
図８は図１に示した実施形態の内部を示す分解斜視図であって、１Ａはディスクデッキ部ケース、１Ｂはディスクドライブ、１Ｃはディスクカバー、２Ａはカメラ部ケース、２Ｂはフロントケース、２４はＣＣＤ基板、２５はアナログ回路基板、２６はディジタル回路基板、２７はフラッシュランプ、２８はフラッシュ基板、２９はリアユニット、３０はディスクカートリッジであり、前出図面に対応する部分には同一符号を付けている。
【００４１】
同図において、ディスクデッキ部１では、枠状のディスクデッキ部ケース１Ａ内にディスクドライブ１Ｂが収納され、このディスクデッキ部ケース１Ａの一方側がディスクカバー１Ｃによってカバーされる。このディスクカバー１Ｃの内側にディスクカートリッジ３０の収納部が設けられており、また、このディスクカバー１Ｃは、その前面側がディスクデッキ部ケース１Ａの前面側に取り付けられ、この取り付け部に関して回動可能となっている。即ち、このディスクカバー１Ｃはディスクデッキ部ケース１Ａに対してドア状に開閉可能であって、ディスクカバー１Ｃが開いた状態で、このディスクカバー１Ｃの収納部にディスクカートリッジ３０を出し入れすることができる。
【００４２】
カメラ部２では、カメラ部ケース２Ａにカメラレンズ部４やＣＣＤ撮像素子を備えたＣＣＤ基板２４，映像信号や音声信号の処理回路などを搭載したアナログ回路基板２５，ディジタル回路基板２６，フラッシュランプ２７を搭載したフラッシュ基板２８を組み込み、しかる後、このカメラ部ケース２Ａにフロントケース２Ｂやリアユニット２９，ファインダ５を取り付けて、ディスクデッキ部ケース１Ａのディスクカバー１Ｃとは反対側の側面に固定する。また、このカメラ部ケース２Ａの側面に、ヒンジ部１４を介して液晶モニタ部３を取り付ける。なお、リアユニット２９にバッテリ収納部２２が取り付けられるように構成されている。
【００４３】
図９は図１に示した実施形態の液晶モニタ部３を開いた状態（即ち、ヒンジ部の回動軸を中心にして回動させた状態）を示す斜視図であって、３ａは表示画面、３２は液晶モニタ部３の収納部、３３はモニタ操作部、３４ａはカーソルシフトキー、３４ｂはカーソル決定キー、３４ｃはシフトキャンセルキー、３４ｄは消去キー、３５はカーソル上下操作キー、３６は記録目次ボタン、３７はスピーカであり、前出図面に対応する部分には同一符号を付けている。
【００４４】
同図において、カメラ部２の左側面には、液晶モニタ部３を収納する収納部３２が設けられており、液晶モニタ部３を収納部３２に収納することにより、図１で示した状態となる。
【００４５】
この収納部３２内には、スピーカ３７やディスクドライブ１Ｂに装着されたＤＶＤの記録内容を選択するためのモニタ操作部３３が設けられており、このモニタ操作部３３は、図示するように、カーソルシフトキー３４ａやカーソル決定キー３４ｂ，シフトキャンセルキー３４ｃ，消去キー３４ｄ，カーソル上下操作キー３５，記録目次ボタン３６が配置されている。
【００４６】
液晶モニタ３の表示画面３ａには、撮像時の映像やＤＶＤの再生映像（動画や静止画）が表示され、再生される映像が音付きの場合には、その再生音がスピーカ３７から出力される。液晶モニタ部３が収納部３２に収納されて閉じたときには、スピーカ３７から音は出力されない。
【００４７】
ここで、液晶モニタ部３は、従来のビデオカメラでは、収納部３２に収納されている状態から９０゜まで回動し、その状態が最大に開いた状態であったが、この実施形態では、収納部３２にモニタ操作部３３を設け、これを液晶モニタ部３の表示画面３ａを見ながら操作する場合もあるので、図１０（ａ）に示すように、９０゜を越える角度、好ましくは１２０゜以上回動できるようにしている。また、図１０（ｂ）に示すように、１８０゜まで開くようにしてもよい。
【００４８】
図１１（ａ）は液晶モニタ部３の収納部３２のモニタ操作部３３を操作する場合を示すものであって、このようにモニタ操作部３３を操作する場合、液晶モニタ部３の表示画面３ａに表示される画像を見ながら操作することもあり、このような場合、従来のビデオカメラのように、液晶モニタ部３が９０゜までしか開かない場合には、表示画面３ａが液晶画面であることから、その可視範囲が狭く、モニタ操作部３３を操作するときのユーザの眼の位置（視点位置）と表示画面３ａを見るときの視点位置とを異ならせなければならず、操作がしにくいものであった。
【００４９】
これに対し、この実施形態では、液晶モニタ部３を９０゜よりもさらに開き、好ましくは１２０゜以上開くようにするものであるから、モニタ操作部３３の操作がし易い視点の位置が液晶の表示画面３ａの可視範囲内にあるようにすることができ、ユーザは眼の位置を動かさずにモニタ操作部３３を操作することができるから、その操作が非常にし易くなる。
【００５０】
また、撮像時に液晶モニタ部３の表示画面で映像をモニタするにしても、図１１（ｂ）に示すように、液晶モニタ部３を９０゜よりも大きく開くことにより、その表示画面３ａへの視線をビデオカメラ本体の中心線（即ち、カメラレンズ部４の光軸）に平行にする必要がなくなる。従って、ビデオカメラ本体とユーザの眼との間の位置関係の制約が緩和され、撮像に際しても、非常に使い易いものとなる。
【００５１】
ＤＶＤとして直径８ｃｍのシングルＣＤサイズのものを使用する場合、ディスクデッキ部１としても、これにあわせて小型化でき、また、カメラ部２としても、ＣＣＤ素子やカメラレンズ部４などを小型のものを用いることにより、上記のように、ディスクデッキ部１の外面輪郭よりも小さい外面輪郭とすることができ、実施形態として、全体として小型化された光ディスク付きビデオカメラを提供するものであるが、かかる小型化された実施形態において、操作部などの各部材を、その使い易さを保ちながら、いかに配列するかが問題となるが、上記のように、液晶モニタ部３の表示画面３ａの表示画像を見ながら操作するモニタ操作部３３をこの液晶モニタ部３の収納部３２内に設けることにより、しかも、この液晶モニタ部３を９０゜を越える角度まで開くことができるようにしたことにより、通常では使用しないスペースを有効に利用し、かつこのモニタ操作部３３の操作性を良好に保つことになる。
【００５２】
なお、図９において、液晶モニタ部３をヒンジ部１４の水平な回転軸を中心として１８０゜回転させてから、この液晶モニタ部３を収納部３２に収納することができ、この場合には、図３に示す状態に対し、液晶モニタ部３の表示部３ａが外部に現れることになる。この場合、この表示画面３ａの傍らにディスク操作部１１があるので、これを操作することによってＤＶＤに録画される映像を再生表示させることができる。この場合、表示画面３ａに表示される映像は上下左右逆になるが、この表示画面３ａの傍らにディスク操作部１１があるので、この画面を見ながらの操作、例えば、一時停止や早送り，巻戻しなどの操作がし易いことになる。
【００５３】
次に、図１２に示す記録目次画面３８を用いて図９に示すモニタ操作部３３の操作について説明する。
【００５４】
まず、図９に示すように、液晶モニタ部３を、例えば、１２０゜開いた状態として、記録目次ボタン３６を押すと、表示画面３ａに図１２に示す記録目次画面３８が表示される。この記録目次画面３８は、ディスクデッキ部１に装着されたＤＶＤに録画されている夫々の映像（動画や静止画，音付き静止画，静止画の連写など）の最初の画面（動画の場合には、最初のフィールドまたはフレームの映像、静止画の場合には、その静止画、連写した複数の静止画の場合には、その最初の静止画）Ａ，Ｂ，Ｃ，……，Ｌと３×４＝１２個からなる映像のマルチ画面として表示されるものである。なお、この記録目次画面３８は、記録目次ボタン３６を押すと、ＤＶＤに録画されている各映像の先頭の画像を順次読み出し、これをメモリを用いて作成される。
【００５５】
ＤＶＤに録画されている映像が１３個以上あって、１つの記録目次画面３８にすべてを表示できない場合には、他の記録目次画面に含まれることになり、記録目次ボタン３６を再度操作することにより、次の記録目次画面の表示に移る。
【００５６】
このマルチ画面では、夫々の映像の種類を示すマーク３８ａ〜３８ｄが夫々の映像画面の左上隅部に表示されている。ここで、マーク３８ａは動画、マーク３８ｂは静止画、マーク３８ｃは連写した静止画、マーク３８ｄは音付きの静止画を夫々表わしているものとする。なお、「音付き」の音とは、撮像時にマイク６ａ，６ｂ（図１）から収録される音である。
【００５７】
かかる状態において、カーソル上下操作キー３５を操作すると、記録目次画面３８上で図示しないカーソルを上下左右に移動させることができ、これにより、記録目次画面３８上の再生希望の映像を指定することができる。このようにして指定を行なってカーソル決定キー３４ｂを操作すると、この指定されて決定された映像が再生可能となり、ディスク操作部１１を操作することにより、この映像を再生することができる。
【００５８】
記録目次画面３８での複数の映像を選択する場合には、夫々の映像毎にカーソル上下操作キー３５を操作してカーソルで指定し、カーソル決定キー３４ｂを操作してそれを決定すればよく、このようにして複数の映像を選択してディスク操作部１１を操作すると、これら複数の映像画素の選択順に再生される。
【００５９】
また、記録目次画面３８での複数の映像を選択する場合、カーソルシフトキー３４ａを用いることができる。このカーソルシフトキー３４ａを操作すると、カーソルは記録目次画面３８上で映像単位にシフトする。例えば、記録目次画面３８において、映像Ａ，Ｂ，Ｄを選択したい場合には、まず、カーソル上下操作キー３５を操作してカーソルで映像Ａを指定してカーソル決定キー３４ｂで決定し、しかる後、カーソルシフトキー３４ａを操作すると、カーソルは次の映像Ｂにシフトする。そして、カーソル決定キー３４ｂを操作し、次に、カーソルシフトキー３４ａを２度操作すると、カーソルは映像Ｄを指定する。これでカーソル決定キー３４ｂを操作すると、映像Ａ，Ｂ，Ｄが選択されたことになる。このように、複数の映像を選択する場合の操作が簡単になる。
【００６０】
シフトキャンセルキー３４ｃは、以上のカーソルシフトキー３４ａの操作をキャンセルするものであって、上記のようにカーソルシフトキー３４ａとカーソル決定キー３４ｂとで映像Ａ，Ｂ，Ｄが選択された後、シフトキャンセルキー３４ｃを操作すると、これら映像Ａ，Ｂ，Ｄの選択がキャンセルされる。なお、シフトキャンセルキー３４ｃを操作する毎に選択された映像が１つずつキャンセルされるようにしてもよい。
【００６１】
消去キー３４ｄはＤＶＤに録画されている映像を消去するためのものであって、例えば、カーソル上下操作キー３５またはカーソルシフトキー３４ａで消去希望の映像を指定し、この消去キー３４ｄを操作すると、この指定された映像がＤＶＤから消去される。
【００６２】
以上のようにして、ＤＶＤに録画されている映像から所望の映像を選択して表示画面３ａに表示させることができる。
【００６３】
なお、このように所望の映像を選択せず、ＤＶＤから録画順に映像を再生させる場合には、ディスク操作部１１の再生／一時停止ボタン１１ａ（図３）を操作すればよい。
【００６４】
図１３は図１におけるディスクデッキ部１でのディスクカートリッジ３０の挿入／イジェクト手段の具体例を示す斜視図であって、１ｂはカートリッジ挿入口であり、前出図面に対応する部分には同一符号を付けている。
【００６５】
図１３（ａ）は、先に説明したように、ディスクデッキ部１のディスクカバー１Ｃを開閉可能とし、このディスクカバーの内側にカートリッジ挿入口１ｂを備えたカートリッジ収納部を設けたものである。この場合には、ディスクイジェクトボタン２０（図４）を操作することにより、ディスクカバー１Ｃが図示するように開くことになる。カートリッジ挿入口１ｂからディスクカートリッジ３０を挿入した後では、指で押すことにより、ディスクカバー１Ｃは閉じてＤＶＤがディスクデッキ部１に装着されることになる。
【００６６】
図１３（ｂ）はカートリッジ挿入口１ｂをディスクデッキ部１の背面側の端面に設けたもの、図１３（ｃ）はカートリッジ挿入口１ｂをディスクデッキ部１の前面側の端面に設けたもの、図１３（ｄ）はカートリッジ挿入口１ｂをディスクデッキ部１の上面１ａに設けたもの、図１３（ｅ）はカートリッジ挿入口１ｂをディスクデッキ部１の底面に設けたものであり、これらいずれも、カートリッジ挿入口１ｂから手でディスクカートリッジ３０を押し込むことにより、ＤＶＤはディスクデッキ部１内に装着され、上記のディスクイジェクトボタン２０（図４）を操作することにより、ＤＶＤが装着されていたディスクカートリッジ３０がカートリッジ挿入口１ｂからイジェクトされる。
【００６７】
図１４は図２の蓋８を取り外した入出力端子の収納部を示す図であって、４０〜４３はジャック、４４，４５はコネクタであり、前出図面に対応する部分には同一符号を付けている。
【００６８】
同図（ａ）において、この収納部には、テレビジョン受像機と接続するためのアナログ映像／音声の出力端子（ＡＶ端子）としてのジャック４０と、外部マイクと接続するための音声の入力端子としてのジャック４１と、ビデオテープレコーダなどの記録再生装置と接続するためのディジタル映像／音声の出力端子（Ｓ端子）としてのジャック４２と、パソコンに接続するための映像の出力端子（ＵＳＢ端子）としてのジャックとが収納されている。
【００６９】
ここで、ジャック４０，４１は端子としてのピンを差し込むための小径のジャックであるが、ジャック４２，４３は多数のピンを有する大径のコネクタが接続される大径のジャックである。しかし、これら大径のジャック４２，４３は、その用途からして、同時に使用されることがない。
【００７０】
そこで、図１４（ｂ）に示すように、ジャック４２に、破線で示すように、大径のコネクタ４４が接続されたとき、このコネクタ４４が他のジャック４３に当たらず、また、図１４（ｃ）に示すように、ジャック４３に、破線で示すように、大径のコネクタ４５が接続されたとき、このコネクタ４５が他のジャック４２に当たらないできるだけ小さい間隔をこれら大径のジャック４２，４３間に持たせる。これにより、これらジャック４２，４３が占める高さ方向の寸法を最小のものとすることができ、従って、これらジャック４０〜４３の収納部の高さ寸法を最小にすることができる。そして、これにより、カメラ部２の高さ寸法を小さくすることができるのである。
【００７１】
図１５は図１での液晶モニタ部３の背面１２に設けられた表示部に表示される画像の一具体例を示す図であり、４６〜５４はアイコンの表示領域である。
【００７２】
同図において、電源スイッチ１９（図４）の操作で電源がＯＮすると、この実施形態の状態に応じて表示領域４６〜５４のいずれかでアイコンが表示される。いま、録画状態にあるとすると、領域４６に録画モードであることを示す情報が表示され、さらに、録画モードに応じて、例えば、動画の録画モードであるときには、領域４７にそれを示すアイコンが、静止画の録画モードにあるときには、領域４８にそれを示すアイコンが、音付き静止画の録画モードにあるときには、領域４９にそれを示すアイコンが夫々表示される。また、図１４に示したジャック４３により、パソコンに接続されているときには、領域５０にそれを示す情報が表示される。このときには、撮像や録画，再生の各動作モードはパソコンによって制御される。また、録画や再生時の画像表示もパソコンで行なわれる。
【００７３】
再生モードにある場合には、ＤＶＤの回転を表わすように、リング状の領域５１で複数の発光領域がクルクル回る表示がなされる。領域５２はバッテリ収納部２２（図３）内のバッテリの残量が表示され、領域５３では、フラッシュ部９（図１）の電源がＯＮしていることを表示する。また、領域５４では、タイマが作動しているとき、その残り時間とともに変化するアイコンが表示される。
【００７４】
また、電源がＯＮしていないとき、ディスク操作部１１やカメラ／画面調整部１８のいずれかの操作ボタン、例えば、メニューの選択／決定ボタン１８ｆ（図４）を所定時間（例えば、１秒間）押すことにより、領域５２でバッテリ収納部２２のバッテリの残量を表示させることができる。従って、電源をＯＮにすることなくバッテリの残量を知ることができ、この場合、カメラ部２やディスクデッキ部１の動作を必要としないから、電源をＯＮする操作もなくして操作が簡略化する。
【００７５】
なお、上記説明では、ＤＶＤなどの光ディスクを収納したディスクカートリッジをディスクデッキ部１に装着するものとしたが、この光ディスク自体を直接カートリッジ挿入口１ｂ（図１３）から挿入してディスクデッキ部１に装着するようにしてもよい。
【００７６】
【発明の効果】
以上説明したように、本発明によれば、カメラ部の側面に設けた液晶表示画面を備える液晶モニタ部のカメラ部の側面に対する開閉角度範囲を９０゜よりも大きく、好ましくは１２０゜以上としたので、本発明の使用に際し、可視範囲が狭いこの液晶表示画面が見易くなる。
【００７７】
また、本発明によれば、液晶モニタ部が閉じたときにこの液晶モニタ部によって覆われるカメラ部の側面の部分に、光ディスクに録画されている情報を選択するための操作部とスピーカとを設けているので、光ディスクを記録媒体として装置の小型化を達成しながら、従来使用されていなかった上記のカメラ部の側面の部分を、液晶を開いたときしか使用しない操作部とスピーカを配置するということで、有効に利用するものであり、しかも、上記のように、液晶モニタ部の開閉角度範囲を９０゜よりも大きく、好ましくは１２０゜以上としているので、液晶表示画面を見ながらのこの操作部の操作性も優れたものとなる。
【００７８】
また、本発明によれば、液晶モニタ部の液晶表示画面が設けられている面とは反対側の背面に、電源投入とともに少なくともディスクデッキの動作状態を表示する表示部を設けているので、スペースの有効利用を図ってディスクデッキの動作状態をユーザに知らせるという新たな機能が付加されるし、この表示部には、バッテリの残量も表示されるが、このバッテリ残量は、電源が投入されなくとも、予め決められた操作ボタンの操作によっても表示されることができるようにしており、バッテリ残量の把握に要する手間を低減している。
【００７９】
また、本発明によれば、カメラ部の側面上の上記液晶表示画面の片側に、ディスクデッキの操作部を配置しているので、光ディスクからの再生時に液晶表示画面を見ながらの再生操作が容易となる。
【００８０】
また、本発明によれば、カメラ部の背面の一部を垂直方向に円弧状をなす面として、この円弧状をなす面の上部と下部とで使用頻度が異なる操作ボタンを配置したカメラ部の操作部を設けているので、カメラ部を動作させながらの操作がし易くなる。
【００８１】
また、本発明によれば、ディスクデッキ部の側面にハンドストラップを取り付けたので、本発明を抱えて使用するときには、ディスクデッキ部を持つことになるので、光ディスクを用いたディスクデッキでの振動による影響を低減できる。
【００８２】
また、本発明によれば、カメラレンズとは反対側のディスクデッキの端面に、ディスクデッキからの光ディスクのイジェクトボタンを設けるとともに、ディスクデッキの録画モード時にイジェクトボタンが操作されると点滅するアクセスランプを設けているので、録画終了の指示後、録画モードが終了しないうちにイジェクトボタンが操作された場合、不具合、即ち、まだ録画モードにあるから光ディスクがイジェクトされないことをユーザに知らせることができ、光ディスクがイジェクトされない理由をユーザは正しく認識できる。
【００８３】
また、本発明によれば、カメラ部の前面上のカメラレンズから下方向の位置にマイクロホンを配置し、かつディスクデッキ部の前面上のカメラレンズの光軸に対して横方向の位置にフラッシュ部を配置しているので、撮影シーンからの音を正確に取り込むことができるし、また、カメラレンズから見てフラッシュ部から被写体に適正に照明されることになって、被写体像に不所望な影などが生ずることがない。
【００８４】
また、本発明によれば、カメラ部の前面のカメラレンズの下側に、外部装置との接続用の入出力端子を全て収納する収納部を設け、かかる入出力端子の一部の複数個は大きい面積を占めるジャックであって、これらジャック間の垂直方向の間隔を、ジャックに差し込まれたコネクタが他のジャックに近接する程度に設定したものであるから、かかる入出力端子の収納部の垂直方向の寸法を縮小でき、カメラ部の小型化が図れる。
【図面の簡単な説明】
【図１】  本発明によるビデオカメラの一実施形態を前面側から見た斜視図である。
【図２】図１に示した実施形態を前面側から見た平面図である。
【図３】図１に示した実施形態の左側面図である。
【図４】図１に示した実施形態の背面図である。
【図５】図１に示した実施形態の右側面図である。
【図６】図１に示した実施形態を持った状態を示した図である。
【図７】図１に示した実施形態を背面側から見た斜視図である。
【図８】図１に示した実施形態の分解斜視図である。
【図９】図１に示した実施形態の液晶モニタ部を開いた状態を示す斜視図である。
【図１０】図１に示した実施形態の液晶モニタ部の開く角度を示す図である。
【図１１】図１に示した実施形態の液晶モニタ部が開いて使用する状態を示す図である。
【図１２】図１における液晶モニタ部の表示画面に表示される記録目次の一具体例を示す図である。
【図１３】図１に示した実施形態でのディスクカセットの挿入手段の具体例を示す図である。
【図１４】図１における入出力端子収納部の一具体例を示す図である。
【図１５】図１における液晶モニタ部の背面の表示部に表示される画像の一具体例を示す図である。
【符号の説明】
１  ディスクデッキ部
１ａ  上面
１ｂ  カートリッジ挿入口
２  カメラ部
３  液晶モニタ部
３ａ  表示画面
４  カメラレンズ部
５  ファインダ
６ａ，６ｂ  マイクロホン
７  タリーランプ
８  蓋
９  フラッシュ部
１０  ズーム操作部
１１  ディスク操作部
１１ａ  再生／一時停止ボタン
１２  液晶モニタ部３の背面
１３  突出部
１４  ヒンジ部
１５  表示部
１６  ハンドストラップ
１７  録画モード選択ボタン
１８  カメラ／画面調整部
１９  電源スイッチ
２０  ディスクイジェクトボタン
２０ａ  アクセスＬＥＤ
２１  録画／録画停止ボタン
２２  バッテリ収納部
２３  境
３２  液晶モニタ部３の収納部
３３  モニタ操作部
３４ａ  カーソルシフトキー
３４ｂ  カーソル決定キー
３４ｃ  シフトキャンセルキー
３４ｄ  消去キー
３５  カーソル上下操作キー
３６  記録目次ボタン
３７  スピーカ
３８  記録目次画面
【図１】
0003774343.tif 000002
【図２】
0003774343.tif 000003
【図３】
0003774343.tif 000004
【図４】
0003774343.tif 000005
【図５】
0003774343.tif 000006
【図６】
0003774343.tif 000007
【図７】
0003774343.tif 000008
【図８】
0003774343.tif 000009
【図９】
0003774343.tif 000010
【図１０】
0003774343.tif 000011
【図１１】
0003774343.tif 000012
【図１２】
0003774343.tif 000013
【図１３】
0003774343.tif 000014
【図１４】
0003774343.tif 000015
【図１５】
0003774343.tif 000016